(57)【要約】【課題】メンテナンス性がよく、かつ意匠性も高めることができるクリーンルーム形エレベータを提供する。【解決手段】建屋の昇降路１内を昇降するエレベータのかご３内の下部に、空気の流通が可能な床部材としてグレーチング１５を脱着可能に設け、このグレーチング１５の下方側に塵埃捕捉用のフィルタ２０を脱着可能に設け、送風ユニットによりかご３内の空気をフィルタ２０を通して循環させる。フィルタ２０のメンテナンスの際には、かご３内でグレーチング１５を取り外してフィルタ２０を交換し、あるいは清掃する。これにより容易に能率よくそのメンテナンスを実行することができる。また、グレーチング１５を他のデザイン等のものと交換することにより、意匠性を変更してその意匠性を高めることができる。【選択図】    図１
2006062770.tif 000002
【特許請求の範囲】
【請求項１】
建屋の昇降路内を昇降するエレベータのかごと、
このかご内の下部に脱着可能に設けられた空気の流通が可能な床部材と、
この床部材の下方側に脱着可能に設けられた塵埃捕捉用のフィルタと、
かご室内の空気を前記床部材および前記フィルタを通して循環させる空気循環機構と、
を具備することを特徴とするクリーンルーム形エレベータ。
【請求項２】
前記床部材の下方側には、その床部材を通過する空気の風量の調整が可能な風量調整機構が設けられていることを特徴とする請求項１に記載のクリーンルーム形エレベータ。
【請求項３】
前記フィルタは、前記床部材の下方にその床部材と対向して設けられていることを特徴とする請求項１に記載のクリーンルーム形エレベータ。
【請求項４】
前記空気循環機構は、かごの下部側面に形成された吸入口に接続してかご内の空気を流通させるダクトを備え、前記フィルタは前記吸入口に設けられていることを特徴とする請求項１に記載のクリーンルーム形エレベータ。
【請求項５】
かごの底面は、前記吸入口に向って斜め下方に傾斜する傾斜面となっていることを特徴とする請求項４に記載のクリーンルーム形エレベータ。
【発明の詳細な説明】
【技術分野】
【０００１】
この発明は、高いクリーン度を必要とする建物に設置されるクリーンルーム形エレベータに関する。
【背景技術】
【０００２】
この種のクリーンルーム形エレベータは、人や機材等を搬送するかごに空気浄化機構が設けられ、その空気浄化機構によりかご内の空気を浄化し、かご内を高いクリーン度に保つようになっている。
【発明の開示】
【発明が解決しようとする課題】
【０００３】
しかしながら、従来のクリーンルーム形エレベータにおいては、クリーン度を高めることだけに重点がおかれ、メンテナンス性や意匠性についての配慮がなされていないのが実情である。
【０００４】
そこで、この発明では、メンテナンス性がよく、かつ意匠性も高めることができるクリーンルーム形エレベータを提供することを目的としている。
【課題を解決するための手段】
【０００５】
請求項１の発明は、建屋の昇降路内を昇降するエレベータのかごと、このかご内の下部に脱着可能に設けられた空気の流通が可能な床部材と、この床部材の下方側に脱着可能に設けられた塵埃捕捉用のフィルタと、かご室内の空気を前記床部材および前記フィルタを通して循環させる空気循環機構とを具備することを特徴としている。
【０００６】
請求項２の発明は、前記床部材の下方側には、その床部材を通過する空気の風量の調整が可能な風量調整機構が設けられていることを特徴としている。
請求項３の発明は、前記フィルタが、前記床部材の下方にその床部材と対向して設けられていることを特徴としている。
【０００７】
請求項４の発明は、前記空気循環機構が、かごの下部側面に形成された吸入口に接続してかご内の空気を流通させるダクトを備え、前記フィルタが前記吸入口に設けられていることを特徴としている。
【０００８】
請求項５の発明は、かごの底面が、前記吸入口に向って斜め下方に傾斜する傾斜面となっていることを特徴としている。
【発明の効果】
【０００９】
この発明によれば、メンテナンス性がよく、かつ意匠性も高めることができる。
【発明を実施するための最良の形態】
【００１０】
以下、この発明の実施の形態について図面を説明する。
図１には第１の実施形態に係るクリーンルーム形エレベータの全体の構成を示してあり、建屋に昇降路１が設けられ、この昇降路１内にメインロープ２を介してかご３が吊り下げられ、このかご３が巻上機（図示せず）による駆動で昇降路１内を上下に昇降するようになっている。
【００１１】
かご３は、かご枠５の内側に設置され、前記メインロープ２がそのかご枠５の上部に連結されている。かご３は箱形に構成され、その前面に出入口７が形成され、この出入口７にその開閉用のドア装置８が設けられている。
【００１２】
かご３内の下部には、例えば複数の鋼材１４を縦横に升目状に架設してなる床梁１３が設けられ、この床梁１３の各升目の上に床部材としてのグレーチング１５が敷き並べられている。
【００１３】
図２には、床梁１３の上に敷き並べられたグレーチング１５の斜視図を、図３にはその一部の拡大断面図をそれぞれ示してあり、グレーチング１５は空気を透過させる複数のスリット状の透孔１５ａを有する格子状に構成されている。これらグレーチング１５はその四隅部が締結手段としてのねじ１６を介して床梁１３に脱着可能に締結されている。
【００１４】
そして、各グレーチング１５の下側には、そのグレーチング１５と対向するようにフィルタ２０が設けられている。これらフィルタ２０は、床梁１３の鋼材１４の側面に設けられた支持片２１の上に水平にかつ脱着可能に取り付けられている。
【００１５】
図１に示すように、かご３の上部には空気循環機構を構成する送風ユニット２５が設けられ、この送風ユニット２５からダクト２６が導出されている。このダクト２６はかご３の背面外側を経てかご３の下面に接続されている。
【００１６】
そして送風ユニット２５内にファン２８が設けられ、このファン２８の回転によりかご３内に空気が送風されるとともに、かご３内の空気がグレーチング１５の透孔１５ａからフィルタ２０を通してダクト２６内に順次吸い込まれて循環するようになっている。なお、２９はかご３内の天井部に設けられた空気の透過が可能な天井板である。
【００１７】
このような構成においては、送風ユニット２５のファン２８の回転でかご３内の空気がフィルタ２０を通して循環する際に、その空気中の塵埃がフィルタ２０により捕捉され、これによりかご３内の空気が浄化され、かご３内が高いクリーン度に保たれる。
【００１８】
フィルタ２０には、空気の浄化に応じて塵埃が徐々に付着して目詰まりが生じてくる。したがって、フィルタ２０を定期的に、あるいは必要に応じて交換もしくは清掃するメンテナンスが必要となる。
【００１９】
このメンテナンスの際には、まずかご３内において、床材としてのグレーチング１５を取り外す。この作業はかご３内でねじ１６を抜き取ることにより容易に行なうことができる。
【００２０】
グレーチング１５を取り外すと、その下側のフィルタ２０がかご３内に露出するから、そのフィルタ２０を床梁１３内から取り出して新たなフィルタ２０と交換する。あるいは、取り出したフィルタ２０を清掃し、清掃後に再度そのフィルタ２０を床梁１３内に収納し、支持片２１の上に設置して固定する。この後、グレーチング１５を再度、床梁１３の上に敷き込み、ねじ１６で固定する。
【００２１】
このように、フィルタ２０に対するメンテナンスは、かご３の外部に作業員が回り込むような面倒な作業を要することなく、かご３内において容易に能率よく行なうことができる。
【００２２】
ところで、かご３内に人が乗り込んだときには、その床部材であるグレーチング１５が目にとまり、したがってかご３内の意匠性はそのグレーチング１５に大きく依存する。ここで、グレーチング１５はねじ１６を介して床梁１３に脱着可能に取り付けられており、したがってグレーチング１５を外観的なデザイン等が異なるものと容易に交換してかご３内の見掛けを適宜変更してその意匠性を高めることができる。
【００２３】
図４には第２の実施形態を示してあり、この実施形態においては、かご３の下部背面に吸入口３ａが形成され、この吸入口３ａにフィルタ２０が脱着可能に取り付けられている。そして空気を流通させるダクト２６の端部が前記吸入口３ａに接続されている。
【００２４】
この構成においては、かご３内の空気はグレーチング１５を順次透過して床梁１３の下方に吸い込まれるとともにフィルタ２０を通り、ダクト２６内を流通して循環する。
【００２５】
フィルタ２０のメンテナンスの際には、吸入口３ａの最も近くに配置されているグレーチング１５を取り外し、作業員がかご３内から床梁１３の下方に手を差し込んでフィルタ２０を取り外し、新たなフィルタ２０と交換するか、あるいは取り出したフィルタ２０を清掃し、その清掃後に再度そのフィルタ２０を吸入口３ａに取り付けて固定する。この後、グレーチング１５を再度、床梁１３の上に敷き込み、ねじ１６で固定する。
【００２６】
このように、この実施形態においても、フィルタ２０に対するメンテナンスをかご３の外部に作業員が回り込むような面倒な作業を要することなく、かご３内において容易に能率よく行なうことができる。
【００２７】
そして特にこの実施形態の場合には、一つのグレーチング１５を取り外し、一つのフィルタ２０を交換あるいは清掃するだけでよく、このためより容易に能率よくフィルタ２０のメンテナンスを実行することができる。
【００２８】
また、この実施形態おいても、グレーチング１５を外観的なデザイン等が異なるものと容易に交換することができ、したがってその交換でかご３内の見掛けを適宜変更してその意匠性を高めることができる。
【００２９】
図５には第３の実施形態を示してあり、この実施形態においては、前記第２の実施形態の場合と同様にかご３の下部背面に吸入口３ａが形成され、この吸入口３ａにフィルタ２０が脱着可能に取り付けられ、ダクト２６の端部がその吸入口３ａに接続されている。
【００３０】
そして、この実施形態においては、グレーチング１５の下側に風量調整機構３２が設けられている。この風量調整機構３２は、図６に示すように、固定板３３と、この固定板３３の上にスライド自在に重ね合わされた可動板３４とを備え、固定板３３および可動板３４にはそれぞれ互に並列して並ぶ複数の開口３３ａ，３４ａが形成されている。
【００３１】
固定板３３の上面にはラック３６が取り付けられ、このラック３６にピニオン３７が噛合し、このピニオン３７に操作軸３８が取り付けられている。操作軸３８は、床梁１３の設けられたブラケット３９に回転自在に貫挿され、この操作軸３８の上端部の操作部３８ａがグレーチング１５の透孔１５ａに対向するように配置されている。
【００３２】
そして、ドライバー等の工具をグレーチング１５の透孔１５ａから差し込んで操作軸３８を回転操作することにより可動板３４をスライドさせ、そのスライドで固定板３３の開口３３ａと可動板３４の開口３４ａとの対向重なり量を変えて空気の流通風量を調整することができるようになっている。
【００３３】
この実施形態によれば、かご３の上部に設けられた送風ユニット２５に何ら手を加えることなく、かご３内で風量調整機構３２を操作してかご３内を流通する空気の流速つまりかご３内の圧力を調整することができる。
【００３４】
図６には第４の実施形態を示してあり、この実施形態においては、前記第２の実施形態の場合と同様にかご３の下部背面に吸入口３ａが形成され、この吸入口３ａにフィルタ２０が脱着可能に取り付けられ、ダクト２６の端部がその吸入口３ａに接続されている。そして、かご３の底面が前記吸入口３ａに向って斜め下方に傾斜する傾斜面３ｂとなっている。
【００３５】
この実施形態の場合には、かご３内の空気がグレーチング１５を通して床梁１３の下方に吸い込まれたときに、その空気がかご３の底面の傾斜面３ｂに沿って円滑に流動して吸入口３ａに流れ込み、したがってかご３の内底部に塵埃等が溜まるようなことがない。かご３の内底部に塵埃等が溜まると、それがグレーチング１５を通してかご３内から見えて美観を損ねることになるが、この実施形態によればかご３の内底部に塵埃等が溜まることがないから美観を良好に保つことができる。
【図面の簡単な説明】
【００３６】
【図１】この発明の第１の実施形態に係るクリーンルーム形エレベータの構造を示す断面図。
【図２】そのクリーンルーム形エレベータにおける床部分の構造を示す斜視図。
【図３】その床部分の構造を示す断面図。
【図４】この発明の第２の実施形態に係るクリーンルーム形エレベータの構造を示す断面図。
【図５】この発明の第３の実施形態に係るクリーンルーム形エレベータの構造を示す断面図。
【図６】そのクリーンルーム形エレベータにおける風量調整機構の構造を示す斜視図。
【図７】この発明の第４の実施形態に係るクリーンルーム形エレベータの構造を示す断面図。
【符号の説明】
【００３７】
１…昇降路
２…メインロープ
３…かご
５…かご枠
７…出入口
８…ドア装置
１３…床梁
１５…グレーチング
１５ａ…透孔
１６…ねじ
２０…フィルタ
２１…支持片
２５…送風ユニット
２６…ダクト
２８…ファン
２９…天井板
３２…風量調整機構
３３…固定板
３３ａ…開口
３４…可動板
３４ａ…開口
３６…ラック
３７…ブラケット
３８…操作軸
【図１】
2006062770.tif 000003
【図２】
2006062770.tif 000004
【図３】
2006062770.tif 000005
【図４】
2006062770.tif 000006
【図５】
2006062770.tif 000007
【図６】
2006062770.tif 000008
【図７】
2006062770.tif 000009